(57)【特許請求の範囲】
【請求項１】
本体と、該本体の上面に設けられ、被加熱物を載置するトッププレートと、該トッププレートの下方に設けられた加熱手段と、を備えた誘導加熱調理器において、
前記被加熱物に対する加熱調理操作をするためのボタンがその上面に配列された操作部と、
前記加熱手段の加熱動作を制御する制御装置と、
前記操作部の上面の少なくとも一部を覆うように設置可能であり、ボタンがその上面に配列された操作パネルと、
を備え、
前記操作部に前記操作パネルが設置された場合、前記操作パネルの前記各ボタンの下方には、前記操作部のいずれかの前記ボタンが対向するように位置し、前記操作パネルの前記各ボタンが押下されることによって、該ボタンの下方に位置する前記操作部の前記ボタンが押下され、
該操作パネルが前記操作部に設置された状態で該操作パネルにおいて操作する簡単操作モードにおいては、前記操作パネルが前記操作部の上面から離脱された状態で前記操作部において操作する標準操作モードよりも、前記ボタンの操作によって処理される機能の数が制限され、
前記操作部は、その上面にモード切替スイッチを備え、
前記操作パネルは、前記操作部への設置面に形成され、前記操作パネルを前記操作部に設置した場合、前記モード切替スイッチを押下するスイッチ押下手段を備え、
前記制御装置は、
前記操作パネルが前記操作部に設置されることにより、前記スイッチ押下手段が前記モード切替スイッチを押下した場合、前記標準操作モードから前記簡単操作モードへ切り替え、前記標準操作モードにおける機能を制限又は変更して、前記簡単操作モードにおける機能とし、
前記操作パネルが前記操作部の上面から離脱されることにより、前記スイッチ押下手段による前記モード切替スイッチへの押下状態から解放された場合、前記簡単操作モードから前記標準操作モードへ切り替えてよいか否かの選択を促す処理を実施し、切り替えてよいとの選択がなされた場合に、前記簡単操作モードから前記標準操作モードへ切り替え、制限又は変更された前記簡単操作モードにおける機能を、元の前記標準操作モードにおける機能に戻す
ことを特徴とする誘導加熱調理器。
【請求項２】
前記操作パネルは、前記操作部に回動自在に取り付けられて設置されており、
前記操作パネルを前記操作部から回動させて開状態とすることによって、前記操作部の上面から離脱させることができる
ことを特徴とする請求項１記載の誘導加熱調理器。
【請求項３】
前記操作パネルは、前記操作部に対して着脱自在に設置可能であり、
前記操作パネルを前記操作部に取り付けることによって、前記操作部に設置することができ、
前記操作パネルを前記操作部から取り外すことによって、前記操作部の上面から離脱させることができる
ことを特徴とする請求項１記載の誘導加熱調理器。
【請求項４】
前記制御装置は、
前記操作パネルが前記操作部に設置された前記簡単操作モードにおいて、前記操作パネルの特定のボタンが押下された場合、該ボタンの下方に配置された前記操作部のボタンが前記標準操作モードにおいて押下されることによって実施される機能とは別の機能を実施させる
ことを特徴とする請求項１〜請求項３記載の誘導加熱調理器。
【請求項５】
前記簡単操作モードにおける前記別の機能は、前記標準操作モードにおいては実施できない機能である
ことを特徴とする請求項４記載の誘導加熱調理器。
【請求項６】
前記制御装置は、前記標準操作モードにおける前記加熱手段の最大火力よりも小さい火力を、前記簡単操作モードにおける前記加熱手段の最大火力として設定する
ことを特徴とする請求項１〜請求項５のいずれか一項に記載の誘導加熱調理器。
【請求項７】
各種設定値等を表示する表示手段と、
音声によって報知する報知手段と、
を備え、
前記簡単操作モードにおいて、前記表示手段に表示される文字を前記標準操作モードにおける場合より大きく表示させる処理、及び、前記報知手段により報知される音声を前記標準操作モードにおける場合よりも大きく報知させる処理のうち、少なくともいずれかを実施する
ことを特徴とする請求項１〜請求項６のいずれか一項に記載の誘導加熱調理器。
【請求項８】
前記操作パネルは、その上面に配列されたボタンが前記操作部のボタンよりも大きく形成させる措置、該上面に配列されたボタンの色を前記操作部のボタンよりも強調させる措置、及び、該上面に配列されたボタンに点字を設ける措置のうち、少なくともいずれかが施された
ことを特徴とする請求項１〜請求項７のいずれか一項に記載の誘導加熱調理器。
【発明の詳細な説明】
【技術分野】
【０００１】
本発明は、被加熱物を誘導加熱調理する誘導加熱調理器に関し、操作性を切り替えることができる操作部に関する。
【背景技術】
【０００２】
従来の加熱調理器として、天面の手前側の操作部、及び、本体の前面部にいわゆるカンガルーポケット型の操作部を備え、加熱調理器の全機能を操作できるものがある（例えば、特許文献１〜特許文献３参照）。
【０００３】
また、上記のような加熱調理器のように、操作部を天面側と前面側に分けることなく、天面側に操作部を集約し、加熱調理器の全機能を操作できるものがある（例えば、特許文献４参照）。
【先行技術文献】
【特許文献】
【０００４】
【特許文献１】特許第３６２０５０２号公報（第４−５頁、図１）
【特許文献２】特許第３６６１６２８号公報（第４−５頁、図３）
【特許文献３】特許第３６２０５０２号公報（第４−５頁、図３）
【特許文献４】特許第３６２０５０２号公報（第３−４頁、図５）
【発明の概要】
【発明が解決しようとする課題】
【０００５】
しかしながら、特許文献１〜特許文献４のいずれの調理器も含め、昨今の加熱調理器は、当該加熱調理器のすべての機能を操作できるように、操作ボタンが増えるため、使い勝手が煩雑となり、お年寄り及び幼い子供にとっては使用しにくくなるという問題点があった。
【０００６】
また、上記のように使い勝手が煩雑となるが故に、意に反した操作によって安全性が損なわれるという問題点もあった。
【０００７】
本発明は、上記のような課題を背景としてなされたものであり、誘導加熱調理器の全ての機能を操作できることを確保しつつ、使い勝手を簡単にすることができるモードへの切り替えが可能な誘導加熱調理器を得ることを目的とする。
【課題を解決するための手段】
【０００８】
本発明に係る誘導加熱調理器は、本体と、該本体の上面に設けられ、被加熱物を載置するトッププレートと、該トッププレートの下方に設けられた加熱手段と、を備えた誘導加熱調理器において、前記被加熱物に対する加熱調理操作をするためのボタンがその上面に配列された操作部と、前記加熱手段の加熱動作を制御する制御装置と、前記操作部の上面の少なくとも一部を覆うように設置可能であり、ボタンがその上面に配列された操作パネルと、を備え、前記操作部に前記操作パネルが設置された場合、前記操作パネルの前記各ボタンの下方には、前記操作部のいずれかの前記ボタンが対向するように位置し、前記操作パネルの前記各ボタンが押下されることによって、該ボタンの下方に位置する前記操作部の前記ボタンが押下され、該操作パネルが前記操作部に設置された状態で該操作パネルにおいて操作する簡単操作モードにおいては、前記操作パネルが前記操作部の上面から離脱された状態で前記操作部において操作する標準操作モードよりも、前記ボタンの操作によって処理される機能の数が制限され、前記操作部は、その上面にモード切替スイッチを備え、前記操作パネルは、前記操作部への設置面に形成され、前記操作パネルを前記操作部に設置した場合、前記モード切替スイッチを押下するスイッチ押下手段を備え、前記制御装置は、前記操作パネルが前記操作部に設置されることにより、前記スイッチ押下手段が前記モード切替スイッチを押下した場合、前記標準操作モードから前記簡単操作モードへ切り替え、前記標準操作モードにおける機能を制限又は変更して、前記簡単操作モードにおける機能とし、前記操作パネルが前記操作部の上面から離脱されることにより、前記スイッチ押下手段による前記モード切替スイッチへの押下状態から解放された場合、前記簡単操作モードから前記標準操作モードへ切り替えてよいか否かの選択を促す処理を実施し、切り替えてよいとの選択がなされた場合に、前記簡単操作モードから前記標準操作モードへ切り替え、制限又は変更された前記簡単操作モードにおける機能を、元の前記標準操作モードにおける機能に戻すものである。
【発明の効果】
【０００９】
本発明によれば、操作部において誘導加熱調理器の操作を実施する「標準操作モード」から、操作パネルを操作部に設置し、操作できるボタン数を削減し、この操作パネル上において誘導加熱調理器の操作を実施する「簡単操作モード」に切り替えることによって、多数かつ煩雑に配列されたボタンに困惑することなく、お年寄り及び幼い子供にとっても操作性を飛躍的に向上させることができる。
【図面の簡単な説明】
【００１０】
【図１】本発明の実施の形態１に係る誘導加熱調理器１０１の外観斜視図である。
【図２】本発明の実施の形態１に係る誘導加熱調理器１０１の平面図である。
【図３】本発明の実施の形態１に係る誘導加熱調理器１０１の平面図であり、操作パネル９を操作部８に設置した状態を示す図である。
【図４】本発明の実施の形態１に係る誘導加熱調理器１０１における「簡単操作モード」への切り替え動作を示すフローチャートである。
【図５】本発明の実施の形態１に係る誘導加熱調理器１０１において「簡単操作モード」に切り替わった場合に示される表示パネル４の表示内容である。
【図６】本発明の実施の形態１に係る誘導加熱調理器１０１における「標準操作モード」への切り替え動作を示すフローチャートである。
【図７】本発明の実施の形態１に係る誘導加熱調理器１０１において「標準操作モード」への切り替え動作中に表示される表示パネル４の表示内容である。
【図８】本発明の実施の形態２に係る誘導加熱調理器１０１ａの外観斜視図である。
【図９】本発明の実施の形態３に係る誘導加熱調理器１０１ｂの平面図である。
【発明を実施するための形態】
【００１１】
実施の形態１．
（誘導加熱調理器の全体構成）
図１は、本発明の実施の形態１に係る誘導加熱調理器１０１の外観斜視図であり、図２は同誘導加熱調理器１０１の平面図である。
図１及び図２で示される本実施の形態に係る誘導加熱調理器１０１において、本体１の上面には、トッププレート２が設置されており、そのトッププレート２上には、鍋等の被加熱物を載置するための左加熱口３ａ及び右加熱口３ｂが構成されている。また、本体１の上面前部には、各種設定値、異常情報、及び、各種メッセージ等を表示する液晶パネル等である表示パネル４、及び、左加熱口３ａ及び右加熱口３ｂにおける加熱動作を操作するための操作部８が設置されている。また、本体１の内部左側は、調理物を加熱調理するグリル部１２が形成されており、本体１の上面後部には、グリル部１２のグリル庫内の空気を取り込むための吸気口１０、及び、グリル庫内の調理物から発生する煙等を排出するための排気口１１が形成されている。また、図２で示されるように、本体１内部には、誘導加熱調理器１０１の動作全体を制御する制御装置１３が備えられており、具体的には、ユーザーによって操作される操作部８の操作信号に基づいて、左加熱口３ａ、右加熱口３ｂ及びグリル部１２における加熱動作の制御、表示パネル４の表示制御、及び、音声を発する報知手段（図示せず）の音声制御を実施する。
【００１２】
また、表示パネル４は、本発明の「表示手段」に相当する。
【００１３】
（操作部８の構成）
次に、図２を参照しながら、操作部８の構成について説明する。
図２で示される誘導加熱調理器１０１の平面視において、操作部８は誘導加熱調理器１０１の上面の手前側に配置されている。この操作部８は、左加熱口３ａの加熱動作を操作するための左加熱口用操作部８１、グリル加熱動作を操作するためのグリル用操作部８３、右加熱口３ｂの加熱動作を操作するための右加熱口用操作部８２、左加熱口３ａにおける火力の強度を表示する左側火力表示部８４ａ、右加熱口３ｂにおける火力の強度を表示する右側火力表示部８４ｂ、そして、後述する操作パネル９が操作部８に覆う態様で取り付けられたかを検出するためのモード切替スイッチ８５によって構成されている。
【００１４】
このうち、左加熱口用操作部８１は、揚げ物ボタン８１ａ、３ｋＷボタン８１ｂ、入／切ボタン８１ｃ、並びに、左側火力低下ボタン８１ｄ及び左側火力増加ボタン８１ｅによって構成されている。また、右加熱口用操作部８２は、揚げ物ボタン８２ａ、３ｋＷボタン８２ｂ、入／切ボタン８２ｃ、並びに、右側火力低下ボタン８２ｄ及び右側火力増加ボタン８２ｅによって構成されている。そして、グリル用操作部８３は、グリルメニューボタン８３ａ、スタート／停止ボタン８３ｂ、左矢印ボタン８３ｃ、右矢印ボタン８３ｄ、時間マイナスボタン８３ｅ及び時間プラスボタン８３ｆによって構成されている。
【００１５】
上記の各ボタンの機能についての詳細については後述する。
【００１６】
なお、図２で示される操作部８を構成する各ボタンの種類及び配置は、一例を示すものであり、これに限定されるものではない。
【００１７】
（誘導加熱調理器１０１の誘導加熱動作）
次に、図１及び図２を参照しながら、本実施の形態に係る誘導加熱調理器１０１の誘導加熱動作について説明する。
ユーザーは、調理物が投入された鍋等の被加熱物を左加熱口３ａに載置する。そして、ユーザーが操作部８に設置された入／切ボタン８１ｃを押下することによって被加熱物に対する誘導加熱動作が実施される。具体的には、ユーザーによる入／切ボタン８１ｃの操作信号が、制御装置１３に送信される。制御装置１３は、受信した操作信号に基づいて、駆動回路（図示せず）に対し、左加熱口３ａの下部の本体１内部に設置された加熱コイル（図示せず）に通電させる。左加熱口３ａに載置された被加熱物は、通電された加熱コイルから誘導加熱を受けて、加熱動作が開始される。
なお、加熱コイルは、本発明の「加熱手段」に相当する。
【００１８】
また、ユーザーが操作部８の左側火力低下ボタン８１ｄ及び左側火力増加ボタン８１ｅを押下することによって、その操作信号が、制御装置１３に送信される。制御装置１３は、左側火力低下ボタン８１ｄの操作信号を受信した場合、駆動回路に対して、加熱コイルによる誘導加熱の火力を低下させる。一方、制御装置１３は、左側火力増加ボタン８１ｅの操作信号を受信した場合、駆動回路に対して、加熱コイルによる誘導加熱の火力を増加させる。この加熱コイルによる誘導加熱の火力の強弱は、左側火力表示部８４ａに表示される。左側火力表示部８４ａは、例えば、並列にならんだ数個のＬＥＤによって構成されており、左側火力増加ボタン８１ｅが押下されることによって火力を増加させた場合、左側に配置されたＬＥＤが順に点灯していくことによって、火力が増加していくことを表示する。一方、左側火力表示部８４ａは、左側火力低下ボタン８１ｄが押下されることによって火力が低下した場合、点灯している最も右側のＬＥＤから左方向に順に消灯していくことによって、火力が低下していくことを表示する。すなわち、左側火力表示部８４ａを構成する全ＬＥＤが消灯している場合は、火力がゼロの状態を示すものであり、全てのＬＥＤが点灯している場合は、最大の火力状態となっていることを示すことになる。
【００１９】
そして、ユーザーは、加熱調理終了後、再び入／切ボタン８１ｃを押下することによって、誘導加熱動作を終了させることができる。
【００２０】
また、ユーザーによって、被加熱物を右加熱口３ｂが設置された場合も、同様に、右加熱口３ｂの下部の本体１内部に設置された加熱コイル（図示せず）によって誘導加熱を実施することができる。その際、ユーザーによる入／切ボタン８２ｃ、右側火力低下ボタン８２ｄ及び右側火力増加ボタン８２ｅの操作、並びに、右側火力表示部８４ｂの表示動作については、前述の入／切ボタン８１ｃ、左側火力低下ボタン８１ｄ及び左側火力増加ボタン８１ｅの操作、並びに、左側火力表示部８４ａの表示動作と同様である。
【００２１】
次に、油調理の操作について説明する。
ユーザーは、油が投入された油鍋を左加熱口３ａに載置する。そして、ユーザーが操作部８に配置された入／切ボタン８１ｃを押下することによって、前述の誘導加熱動作と同様に、油鍋の誘導加熱動作が開始される。次に、ユーザーは揚げ物ボタン８１ａを所定回数押下することによって、油鍋に投入された油の量を設定する。そして、ユーザーは左側火力低下ボタン８１ｄ及び左側火力増加ボタン８１ｅを操作することによって、目標とする油温度を設定する。この際、制御装置１３は、設定された油の量及び油温度を、例えば、表示パネル４に表示するものとすればよい。そして、ユーザーは、油調理終了後、再び入／切ボタン８１ｃを押下することによって、油調理を終了させることができる。
【００２２】
また、ユーザーによって、油鍋を右加熱口３ｂが設置された場合も、同様に、油鍋の誘導加熱を実施することができる。その際、ユーザーによる入／切ボタン８２ｃ、揚げ物ボタン８２ａ、右側火力低下ボタン８２ｄ及び右側火力増加ボタン８２ｅの操作、並びに、表示パネル４の表示動作については、前述の入／切ボタン８１ｃ、揚げ物ボタン８１ａ、左側火力低下ボタン８１ｄ及び左側火力増加ボタン８１ｅの操作、並びに、表示パネル４の表示動作と同様である。
【００２３】
次に、お湯沸かし動作の操作について説明する。
ユーザーは、水が投入された鍋等を左加熱口３ａに載置する。そして、ユーザーが操作部８に設置された入／切ボタン８１ｃを押下することによって、前述の誘導加熱動作と同様に、水が投入された鍋等の加熱動作が開始される。次に、ユーザーは３ｋＷボタン８１ｂを所定回数押下することによって、加熱時間を設定する。この際、制御装置１３は、設定された加熱時間を、例えば、表示パネル４に表示させるものとすればよい。そして、制御装置１３は、加熱動作開始後、設定された加熱時間が経過した後、自動的に加熱動作を終了させる。
【００２４】
また、ユーザーによって、水が投入された鍋等を右加熱口３ｂが設置された場合も、同様に、誘導加熱を実施することができる。その際、ユーザーによる入／切ボタン８２ｃ及び３ｋＷボタン８２ｂの操作、並びに、表示パネル４の表示動作については、前述の入／切ボタン８１ｃ及び３ｋＷボタン８１ｂの操作、並びに、表示パネル４の表示動作と同様である。
【００２５】
（誘導加熱調理器１０１のグリル部１２における加熱動作）
次に、図１及び図２を参照しながら、本実施の形態に係る誘導加熱調理器１０１のグリル部１２における加熱動作について説明する。
ユーザーは、まず、グリル部１２のグリル庫内に調理物を載置して投入する。そして、ユーザーは、操作部８に設置されたグリルメニューボタン８３ａを所定回数押下することによって「姿焼き」、「グリル」及び「オーブン」等のグリルメニューを選択する。以下、グリルメニューとして「グリル」が選択された場合を例にグリル加熱動作について説明する。
【００２６】
ユーザーは、左矢印ボタン８３ｃ及び右矢印ボタン８３ｄを所定回数押下することによって、調理物に対する加熱動作の火力を設定する。この火力の設定操作信号は、制御装置１３に送信され、制御装置１３は、その設定操作信号に基づいて、表示パネル４にその設定された火力を表示させる。次に、ユーザーは、時間マイナスボタン８３ｅ及び時間プラスボタン８３ｆを所定回数押下することによって、調理物に対する加熱時間を設定する。この加熱時間の設定操作信号は、制御装置１３に送信され、制御装置１３は、その設定操作信号に基づいて、表示パネル４にその設定された加熱時間を表示させる。そして、ユーザーは、スタート／停止ボタン８３ｂを押下することによって、「グリル」メニューのグリル加熱動作が実施される。具体的には、ユーザーによるスタート／停止ボタン８３ｂの操作信号が、制御装置１３に送信され、制御装置１３は、その操作信号を受信すると、ヒーター駆動回路（図示せず）に対し、グリル庫内に設置されたヒーター（図示せず）に通電させ、そのヒーターによって調理物を加熱させる。そして、制御装置１３は、加熱動作開始後、設定された加熱時間が経過した後、自動的に加熱動作を終了させる。
【００２７】
（操作パネル９の構成とその設置について）
図３は、本発明の実施の形態１に係る誘導加熱調理器１０１の平面図であり、操作パネル９を操作部８に設置した状態を示す図である。以下、図２及び図３を参照しながら、操作パネル９の構成及びその設置について説明する。
操作パネル９は、操作部８の形状と略同一形状を呈しており、図３で示されるように、操作部８の全体を上方から被せるように着脱自在に設置可能とするものである。操作パネル９は、操作部８に設置された状態において、左加熱口３ａの加熱動作を操作するための左加熱口用操作部９１、グリル加熱動作を操作するためのグリル用操作部９３、及び、右加熱口３ｂの加熱動作を操作するための右加熱口用操作部９２を有している。また、操作パネル９は、操作部８に設置された状態において、左加熱口３ａにおける火力の強度を表示する左側火力表示部８４ａの点灯状態を透過し、ユーザーが視認できるように窓状になっている左側火力表示部９４ａ、及び、右加熱口３ｂにおける火力の強度を表示する右側火力表示部８４ｂの点灯状態を透過し、ユーザーが視認できるように窓状になっている右側火力表示部９４ｂを有している。ただし、左側火力表示部９４ａ及び右側火力表示部９４ｂは、それぞれ、左側火力表示部８４ａ及び右側火力表示部８４ｂの点灯状態全部を透過するものではなく、左側火力表示部８４ａ及び右側火力表示部８４ｂの高火力側の一部が視認できないようになっている。この点の詳細は、図４において後述する。さらに、操作パネル９は、操作部８のモード切替スイッチ８５に対向する位置に、凸形状を呈したスイッチ押下用突起部９５が形成されており、操作パネル９を操作部８に設置することによって、このスイッチ押下用突起部９５がモード切替スイッチ８５を押下し、その押下信号は、制御装置１３に送信され、操作パネル９が操作部８に設置されたことが、制御装置１３によって認識されるようになっている。
【００２８】
左加熱口用操作部９１は、入／切ボタン９１ｃ、並びに、左側火力低下ボタン９１ｄ及び左側火力増加ボタン９１ｅによって構成されている。また、右加熱口用操作部９２は、入／切ボタン９２ｃ、並びに、右側火力低下ボタン９２ｄ及び右側火力増加ボタン９２ｅによって構成されている。そして、グリル用操作部９３は、スタート／停止ボタン９３ｂ、左矢印ボタン９３ｃ、右矢印ボタン９３ｄ、時間マイナスボタン９３ｅ及び時間プラスボタン９３ｆによって構成されている。
【００２９】
上記の操作パネル９に形成された各ボタンは、操作パネル９が操作部８に設置された状態において、ユーザーが押下することによって、その操作信号が直接、電気的に制御装置１３に送信されるものではない。すなわち、これらの各ボタンは、例えば、ゴム又は樹脂等の弾性体によって形成されており、例えば、ユーザーが入／切ボタン９１ｃを押下することによって、その押圧が入／切ボタン９１ｃの直下に存在する入／切ボタン８１ｃに伝達し、入／切ボタン８１ｃが押下される構造になっている。この構造は、操作パネル９におけるその他のボタンについても同様である。具体的には、ユーザーが、操作パネル９における左側火力低下ボタン９１ｄ、左側火力増加ボタン９１ｅ、入／切ボタン９２ｃ、右側火力低下ボタン９２ｄ及び右側火力増加ボタン９２ｅをそれぞれ押下すると、操作部８における左側火力低下ボタン８１ｄ、左側火力増加ボタン８１ｅ、入／切ボタン８２ｃ、右側火力低下ボタン８２ｄ及び右側火力増加ボタン８２ｅがそれぞれ押下されることになる。また、ユーザーが、操作パネル９におけるスタート／停止ボタン９３ｂ、左矢印ボタン９３ｃ、右矢印ボタン９３ｄ、時間マイナスボタン９３ｅ及び時間プラスボタン９３ｆをそれぞれ押下すると、操作部８におけるスタート／停止ボタン８３ｂ、左矢印ボタン８３ｃ、右矢印ボタン８３ｄ、時間マイナスボタン８３ｅ及び時間プラスボタン８３ｆがそれぞれ押下されることになる。
【００３０】
ただし、この操作パネル９においては、操作部８の揚げ物ボタン８１ａ、３ｋＷボタン８１ｂ、揚げ物ボタン８２ａ、３ｋＷボタン８２ｂ及びグリルメニューボタン８３ａを押下するためのボタンは形成されていない。また、操作パネル９に設置された各ボタンは、ユーザーが操作しやすいように、操作部８に設置された対応するボタンよりも大きく形成している。さらに、操作パネル９のパネル面に表示された各文字列が、操作部８の操作面に表示された文字列よりも大きくなっている。
【００３１】
ここで、操作部８についての話に戻るが、操作部８における各ボタンの操作によって、本実施の形態に係る誘導加熱調理器１０１の機能のすべてを操作することが可能（以下、これを「標準操作モード」という）である。しかしながら、ユーザーによっては、すべての機能を詳細に把握しているわけではなく、大概においては、操作方法を覚えた一部の機能のみを使っていたり、図２で示される操作部８のように多数かつ煩雑に並んだ各ボタンの操作は、お年寄り及び幼い子供にとっては、非常に使用しにくくなる可能性がある。そこで、操作パネル９を操作部８に設置することによって、前述のように、操作できるボタン数を削減し、操作するボタンを大きくし、さらに、操作パネル９のパネル面に表示された文字列を大きくさせることができ、多数かつ煩雑に配列されたボタンに困惑することなく、お年寄り及び幼い子供にとっても操作性を飛躍的に向上させることができる。
【００３２】
ボタン数の削減については、本実施の形態における操作パネル９においては、前述のように、操作部８の揚げ物ボタン８１ａ、３ｋＷボタン８１ｂ、揚げ物ボタン８２ａ、３ｋＷボタン８２ｂ及びグリルメニューボタン８３ａを押下するためのボタンは形成されていない。しかし、揚げ物ボタン８１ａ、３ｋＷボタン８１ｂ、揚げ物ボタン８２ａ及び３ｋＷボタン８２ｂを操作することができなくても、入／切ボタン９１ｃ、左側火力低下ボタン９１ｄ及び左側火力増加ボタン９１ｅ、並びに、入／切ボタン９２ｃ、右側火力低下ボタン９２ｄ及び右側火力増加ボタン９２ｅの操作によって、その機能をまかなうことは可能である。また、グリルメニューボタン８３ａを操作（すなわち、グリルメニューの選択）することができなくても、左矢印ボタン９３ｃ、右矢印ボタン９３ｄ、時間マイナスボタン９３ｅ及び時間プラスボタン９３ｆの操作によって、その機能をまかなうことも可能である。このように、操作部８に操作パネル９を設置して操作するモードを「簡単操作モード」というものとする。以下、「簡単操作モード」への切り替え、及び、「標準操作モード」への切り替えについての詳細を説明する。
【００３３】
（簡単操作モードへの切り替え動作）
図４は、本発明の実施の形態１に係る誘導加熱調理器１０１における「簡単操作モード」への切り替え動作を示すフローチャートであり、図５は、同誘導加熱調理器１０１において「簡単操作モード」に切り替わった場合に示される表示パネル４の表示内容である。以下、図４及び図５を参照しながら、「簡単操作モード」への切り替え動作について説明する。
【００３４】
（Ｓ１）
まず、「標準操作モード」から「簡単操作モード」への切り替えを望むユーザーは、操作部８に操作パネル９を上方から設置する。そして、ステップＳ２へ進む。
【００３５】
（Ｓ２）
制御装置１３は、操作パネル９が操作部８に設置されることによって、操作パネル９のスイッチ押下用突起部９５が、操作部８のモード切替スイッチ８５を押下したか否かを判定する。その判定の結果、モード切替スイッチ８５がスイッチ押下用突起部９５によって押下された場合、ステップＳ３へ進み、そうでない場合は、ステップＳ１へ戻る。
【００３６】
（Ｓ３）
制御装置１３は、操作モードを「標準操作モード」から「簡単操作モード」に切り替え、その旨を報知手段によって音声報知させ、さらに、図５で示されるように、表示パネル４に「簡単操作モード」に切り替わった旨を表示させる。このとき、制御装置１３は、図５と後述する図７との比較で明確なように、「簡単操作モード」においては、「標準操作モード」における表示パネル４の表示文字よりも大きく表示させる。さらに、制御装置１３は、左加熱口３ａ及び右加熱口３ｂにおける火力の最大値を低下させる。すなわち、制御装置１３は、前述のように、左側火力表示部９４ａ及び右側火力表示部９４ｂによって表示される火力表示分しか火力出力できないようにする。これによって、操作パネル９を操作部８に設置することによる機能制限の他、火力出力の最大値を低下させて、お年寄り及び幼い子供の操作上の安全性を確保することができる。そして、「簡単操作モード」への切り替え動作を終了する。
【００３７】
（標準操作モードへの切り替え動作）
図６は、本発明の実施の形態１に係る誘導加熱調理器１０１における「標準操作モード」への切り替え動作を示すフローチャートであり、図７は、同誘導加熱調理器１０１において「標準操作モード」への切り替え動作中に表示される表示パネル４の表示内容である。以下、図６及び図７を参照しながら、「標準操作モード」への切り替え動作について説明する。
【００３８】
（Ｓ１１）
まず、「簡単操作モード」から「標準操作モード」への切り替えを望むユーザーは、操作部８から操作パネル９を取り外す。そして、ステップＳ１２へ進む。
【００３９】
（Ｓ１２）
制御装置１３は、操作パネル９が操作部８から取り外されることによって、操作パネル９のスイッチ押下用突起部９５が、操作部８のモード切替スイッチ８５への押下状態から解放されたか否かを判定する。その判定の結果、モード切替スイッチ８５がスイッチ押下用突起部９５による押下状態から解放された場合、ステップＳ１３へ進み、そうでない場合は、ステップＳ１１へ戻る。
【００４０】
（Ｓ１３）
制御装置１３は、操作モードを「簡単操作モード」から「標準操作モード」に切り替えてよいか否かの選択を促す旨を報知手段によって音声報知させ、さらに、図７（ａ）で示されるように、操作モードを「標準操作モード」に切り替えるか否かの選択を促す画面を表示パネル４に表示させる。そして、ステップＳ１４へ進む。
【００４１】
（Ｓ１４）
制御装置１３は、「標準操作モード」への切り替えを選択したか否かを判定する。具体的には、図７（ａ）で示されるように、制御装置１３は、ユーザーによって時間プラスボタン８３ｆ又は時間マイナスボタン８３ｅが押下されたか否かを判定する。その判定の結果、時間プラスボタン８３ｆが押下された場合、制御装置１３は、「標準操作モード」への切り替えがユーザーによって承諾されたものとして、ステップＳ１５へ進む。一方、時間マイナスボタン８３ｅが押下された場合、制御装置１３は、「標準操作モード」へ切り替えずに「簡単操作モード」の状態に保つことが選択されたものとして、ステップＳ１６へ進む。
なお、「標準操作モード」への切り替えを選択したか否かを判定するのに、時間プラスボタン８３ｆ及び時間マイナスボタン８３ｅの押下によって判定しているが、これに限定されるものではなく、他のボタンによって代用するものとしてもよい。
【００４２】
（Ｓ１５）
制御装置１３は、操作モードを「簡単操作モード」から「標準操作モード」に切り替え、その旨を報知手段によって音声報知させ、さらに、図７（ｂ）で示されるように、表示パネル４に「標準操作モード」に切り替わった旨を表示させる。このとき、制御装置１３は、図５と後述する図７との比較で明確なように、「標準操作モード」においては、「簡単操作モード」における表示パネル４の表示文字よりも小さく表示させる（標準状態に戻す）。さらに、制御装置１３は、左加熱口３ａ及び右加熱口３ｂにおける火力の最大値を元の状態に戻す（すなわち、左側火力表示部８４ａ及び右側火力表示部８４ｂが表示できる火力の最大値に戻す）。そして、「標準操作モード」への切り替え動作を終了する。
【００４３】
（Ｓ１６）
制御装置１３は、操作部８に操作パネル９を設置することを促す旨を報知手段によって音声報知させ、さらに、図７（ｃ）で示されるように、操作部８に操作パネル９を設置することを促す画面を表示パネル４に表示させる。そして、ステップＳ１７へ進む。
【００４４】
（Ｓ１７）
制御装置１３は、操作パネル９が操作部８に設置されることによって、操作パネル９のスイッチ押下用突起部９５が、操作部８のモード切替スイッチ８５を押下したか否かを判定する。その判定の結果、モード切替スイッチ８５がスイッチ押下用突起部９５によって押下された場合、「標準操作モード」への切り替えは実施せずに、「簡単操作モード」のまま終了する。一方、操作パネル９が操作部８に設置されず、モード切替スイッチ８５がスイッチ押下用突起部９５によって押下されない状態が所定時間続いた場合、再度、「簡単操作モード」から「標準操作モード」に切り替えてよいか否かの選択を促すために、ステップＳ１３へ戻る。
【００４５】
以上のように、操作パネル９が操作部８から取り外された場合に、自動的に「簡単操作モード」から「標準操作モード」に切り替わるのではなく、ユーザーに対して切り替えの確認を促すことによって、ユーザーに対して「標準操作モード」における操作部８の操作が可能かを促すことができ、操作上の安全性を確保することができる。これに対し、「標準操作モード」から「簡単操作モード」への切り替えの場合には、上記のような、ユーザーに対しての切り替えの確認動作はないが、「簡単操作モード」への切り替えは、安全性の観点から、安全性を高める方向の操作モードの切り替えなので、当該確認動作は特に必要がない。
【００４６】
（実施の形態１の効果）
以上の構成及び効果のように、操作部８において誘導加熱調理器１０１の操作を実施する「標準操作モード」から、操作パネル９を操作部８に設置し、操作できるボタン数を削減し、操作するボタンを大きくし、さらに、操作パネル９のパネル面に表示された文字列を大きくさせ、この操作パネル９上において誘導加熱調理器１０１の操作を実施する「簡単操作モード」に切り替えることによって、多数かつ煩雑に配列されたボタンに困惑することなく、お年寄り及び幼い子供にとっても操作性を飛躍的に向上させることができる。
【００４７】
また、操作パネル９は操作部８に対して着脱自在に設置可能なので、操作に慣れたユーザーについては「標準操作モード」が選択可能であり、操作に不慣れなお年寄り及び幼い子供については「簡単操作モード」が選択可能であるので、誘導加熱調理器１０１としての操作性をより向上させることができる。
【００４８】
また、「簡単操作モード」においては、左加熱口３ａ及び右加熱口３ｂで出力できる最大火力を、「標準操作モード」における最大火力よりも低減させることによって、お年寄り及び幼い子供の操作上の安全性を確保することができる。
【００４９】
なお、図４におけるステップＳ３、並びに、図６におけるステップＳ１３、ステップＳ１５及びステップＳ１６において、報知手段による音声報知、及び、表示パネル４における表示動作の双方が実施されているが、これに限定されるものではなく、少なくともいずれかが実施されるものとすればよい。
【００５０】
また、「標準操作モード」から、操作パネル９を設置したことによる「簡単操作モード」に切り替えたことによる前述のボタン数の制限等の制限事項、並びに、操作性向上及び安全性向上のための措置は、例示であり、それらの措置がすべて施されていなければならないわけではなく、あるいは、その他の措置が施されてもよいのは言うまでもない。例えば、「簡単操作モード」において、お年寄り及び幼い子供向けのみならず、色弱者又は目の不自由な人のために、ボタンの色を強調したり、あるいは、ボタン部に点字を設ける等の措置が施されてもよい。また、「簡単操作モード」における報知手段による各種音声報知について、「標準操作モード」よりも大きい音量で報知する動作としてもよい。
【００５１】
また、図３で示されるように、操作パネル９は操作部８の上面全体を覆う態様としているが、これに限定されるものではなく、操作パネル９の上面の一部のみを覆う態様としてもよい。例えば、左加熱口３ａの加熱動作については操作部８による「標準操作モード」での操作を可能とし、そして、操作部８におけるグリル用操作部８３及び右加熱口用操作部８２のみ操作パネル９が設置される構成とし、右加熱口３ｂ及びグリル部１２の加熱動作については操作パネル９による「簡単操作モード」での操作を可能とする構成としてよい。
【００５２】
また、図１及び図２で示されるように、操作部８はモード切替スイッチ８５を備え、操作パネル９はスイッチ押下用突起部９５を備えており、操作パネル９が操作部８に設置されることにより、スイッチ押下用突起部９５によってモード切替スイッチ８５が押下され、制御装置１３は、操作パネル９が操作部８に設置されたことを検出できる。このとき、制御装置１３は、表示パネル４の表示文字を大きく表示させたり、左側火力表示部９４ａ及び右側火力表示部９４ｂによって表示される火力表示分しか火力出力できないようにしているが、「簡単操作モード」において、このような、電気的処理及びソフトウェア処理を伴わない場合には、モード切替スイッチ８５及びスイッチ押下用突起部９５を設ける必要はない。
【００５３】
また、図６で示されるように、操作パネル９が操作部８から取り外された場合、ステップＳ１３及びステップＳ１４において操作モードを「簡単操作モード」から「標準操作モード」に切り替えてよいか否かの選択を促す確認処理が実施されているが、これに限定されるものではなく、安全性等に問題がなければ、「簡単操作モード」への切り替え動作と同様に、操作パネル９が取り外された時点で、「標準操作モード」へ切り替えられる動作としてもよい。
【００５４】
実施の形態２．
本実施の形態に係る誘導加熱調理器１０１ａについて、実施の形態１に係る誘導加熱調理器１０１と相違する点を中心に説明する。
【００５５】
（誘導加熱調理器の全体構成）
図８は、本発明の実施の形態２に係る誘導加熱調理器１０１ａの外観斜視図である。
実施の形態１に係る誘導加熱調理器１０１の操作パネル９は、操作部８に対して着脱自在に設置可能としている。しかし、本実施の形態に係る誘導加熱調理器１０１ａの操作パネル９ａは、その上端部が、操作部８の上端部とヒンジ部９６によって開閉自在（回動自在）に接続されている。その他の構成は、実施の形態１に係る誘導加熱調理器１０１の構成と同様である。
【００５６】
本実施の形態に係る誘導加熱調理器１０１ａにおいては、操作パネル９ａを閉状態（すなわち、操作部８への設置状態）とすることによって、操作パネル９ａのスイッチ押下用突起部９５が、操作部８のモード切替スイッチ８５を押下する状態となり、図４で示される「簡単操作モード」への切り替え動作が実施される。一方、操作パネル９ａを閉状態から、ヒンジ部９６を軸に上方に回動させて開状態とすることによって、スイッチ押下用突起部９５がモード切替スイッチ８５への押下状態から解放され、図６で示される「標準操作モード」への切り替え動作が実施される。
【００５７】
（実施の形態２の効果）
以上のような構成においても、実施の形態１における効果を奏するのはもちろんのこと、実施の形態１に係る誘導加熱調理器１０１においては、「標準操作モード」においては操作パネル９を操作部８から取り外すので、操作パネル９を別の場所に保管しておく必要があるが、本実施の形態に係る誘導加熱調理器１０１ａにおいては、操作パネル９ａは操作部８に接続されているので、操作パネル９ａを開閉するのみで「標準操作モード」への切り替え、及び、「簡単操作モード」への切り替えが可能であり、操作パネル９ａを別の場所に保管しておくという手間を省くことができる。
【００５８】
実施の形態３．
本実施の形態に係る誘導加熱調理器１０１ｂについて、実施の形態１に係る誘導加熱調理器１０１と相違する点を中心に説明する。
【００５９】
（誘導加熱調理器の全体構成）
図９は、本発明の実施の形態３に係る誘導加熱調理器１０１ｂの平面図である。
図９で示されるように、誘導加熱調理器１０１ｂの本体側の構成は、実施の形態１に係る誘導加熱調理器１０１と同様であるが、操作パネル９ｂの構成が、実施の形態１の操作パネル９の構成と異なっている。
【００６０】
（操作パネル９ｂの構成とその設置について）
以下、図９を参照しながら、操作パネル９ｂの構成及びその設置について説明する。
操作パネル９ｂは、操作部８の形状と略同一形状を呈しており、操作部８の全体を上方から被せるように着脱自在に設置可能とするものである。操作パネル９ｂは、操作部８に設置された状態において、左加熱口３ａの加熱動作を操作するための左加熱口用操作部９１、グリル加熱動作を操作するためのグリル用操作部９３、及び、右加熱口３ｂの加熱動作を操作するための右加熱口用操作部９２を有している。また、操作パネル９ｂは、操作部８に設置された状態において、左加熱口３ａにおける火力の強度を表示する左側火力表示部８４ａの点灯状態を透過し、ユーザーが視認できるように窓状になっている左側火力表示部９４ａ、及び、右加熱口３ｂにおける火力の強度を表示する右側火力表示部８４ｂの点灯状態を透過し、ユーザーが視認できるように窓状になっている右側火力表示部９４ｂを有している。さらに、操作パネル９ｂは、操作部８のモード切替スイッチ８５に対向する位置に、スイッチ押下用突起部９５を形成しており、操作パネル９ｂを操作部８に設置することによって、このスイッチ押下用突起部９５がモード切替スイッチ８５を押下し、その押下信号は、制御装置１３に送信され、操作パネル９ｂが操作部８に設置されたことが、制御装置１３によって認識されるようになっている。以上の点は、実施の形態１と同様である。また、操作パネル９ｂにおける各操作部が有するボタンについても、実施の形態１の操作パネル９ｂと同様である。
【００６１】
以下、実施の形態１と相違する点を述べる。実施の形態１においては、「簡単操作モード」における操作パネル９ｂにおける各ボタンの機能と、「標準操作モード」における操作部８における各ボタンの機能とは、双方に一致していた。すなわち、操作部８における特定の操作を実施するためのボタンの上方に、操作パネル９ｂを操作部８に設置することによって、同様の操作を実施するための操作パネル９ｂにおけるボタンが配置される。これによって、例えば、「標準操作モード」において、入／切ボタン８１ｃを押下した場合、左加熱口３ａにおいて加熱動作が開始されるのと同様に、操作部８に操作パネル９ｂを設置した「簡単操作モード」において、入／切ボタン９１ｃを押下した場合、左加熱口３ａにおいて加熱動作が開始されることになる。
【００６２】
しかしながら、本実施の形態の操作パネル９ｂを操作部８に設置した場合、操作パネル９ｂの入／切ボタン９１ｆは、操作部８の３ｋＷボタン８１ｂの上方に配置される。その他、操作パネル９ｂを操作部８に設置した場合、操作パネル９ｂの入／切ボタン９２ｆ、左矢印ボタン９３ｇ及び右矢印ボタン９３ｈは、それぞれ操作部８の３ｋＷボタン８２ｂ、グリルメニューボタン８３ａ及び左矢印ボタン８３ｃに配置される。すなわち、例えば、「簡単操作モード」においては、ユーザーが入／切ボタン９１ｆを押下した場合、入／切ボタン９１ｆの下方に配置された３ｋＷボタン８１ｂが押下されることになる。このとき、「簡単操作モード」において、ユーザーが入／切ボタン９１ｆを押下した場合、「標準操作モード」において３ｋＷボタン８１ｂを押下した場合に実施される機能が実施されるのではなく、「標準操作モード」において入／切ボタン８１ｃを押下した場合に実施される機能が実施される。すなわち、「簡単操作モード」で操作パネル９ｂにおいて特定の機能を実施するためのボタンを押下した場合、操作部８においては当該機能とは異なる機能を実施するためのボタンが押下されることになるが、その操作部８におけるボタンの押下によって、当該機能が実施されることになる。これは、入／切ボタン９２ｆ、左矢印ボタン９３ｇ及び右矢印ボタン９３ｈと、３ｋＷボタン８２ｂ、グリルメニューボタン８３ａ及び左矢印ボタン８３ｃとの関係においても同様である。
【００６３】
（簡単操作モードへの切り替え動作）
図４で示される実施の形態１における「簡単操作モード」への切り替え動作におけるステップＳ１及びステップＳ２の処理は、本実施の形態における「簡単操作モード」への切り替え動作においても同様である。
【００６４】
（Ｓ３）
制御装置１３は、操作モードを「標準操作モード」から「簡単操作モード」に切り替え、その旨を報知手段によって音声報知させ、さらに、図５で示されるように、表示パネル４に「簡単操作モード」に切り替わった旨を表示させる。このとき、制御装置１３は、図５と図７との比較で明確なように、「簡単操作モード」においては、「標準操作モード」における表示パネル４の表示文字よりも大きく表示させる。また、制御装置１３は、左加熱口３ａ及び右加熱口３ｂにおける火力の最大値を低下させる。すなわち、制御装置１３は、前述のように、左側火力表示部９４ａ及び右側火力表示部９４ｂによって表示される火力表示分しか火力出力できないようにする。さらに、制御装置１３は、入／切ボタン９１ｆ及び入／切ボタン９２ｆを押下した場合、それぞれ操作部８の３ｋＷボタン８１ｂ及び３ｋＷボタン８２ｂが押下されることになるが、３ｋＷボタン８１ｂ及び３ｋＷボタン８２ｂの機能を実施するのではなく、それぞれ「標準操作モード」における入／切ボタン８１ｃ及び入／切ボタン８２ｃの機能が実施されるように機能を入れ替える。また、制御装置１３は、左矢印ボタン９３ｇ及び右矢印ボタン９３ｈを押下した場合、それぞれ操作部８のグリルメニューボタン８３ａ及び左矢印ボタン８３ｃが押下されることになるが、グリルメニューボタン８３ａ及び左矢印ボタン８３ｃの機能を実施するのではなく、それぞれ「標準操作モード」における左矢印ボタン８３ｃ及び右矢印ボタン８３ｄの機能が実施されるように機能を入れ替える。この機能の入れ替え処理は、制御装置１３内に記憶されたソフトウェアによって処理がなされてもよく、あるいは、ハードウェアによって実現されるものとしてもよい。そして、「簡単操作モード」への切り替え動作を終了する。
【００６５】
（標準操作モードへの切り替え動作）
図６で示される実施の形態１における「標準操作モード」への切り替え動作におけるステップＳ１５以外の処理は、本実施の形態における「標準操作モード」への切り替え動作においても同様である。
【００６６】
（Ｓ１５）
制御装置１３は、操作モードを「簡単操作モード」から「標準操作モード」に切り替え、その旨を報知手段によって音声報知させ、さらに、図７（ｂ）で示されるように、表示パネル４に「標準操作モード」に切り替わった旨を表示させる。このとき、制御装置１３は、図５と後述する図７との比較で明確なように、「標準操作モード」においては、「簡単操作モード」における表示パネル４の表示文字よりも小さく表示させる（標準状態に戻す。また、制御装置１３は、左加熱口３ａ及び右加熱口３ｂにおける火力の最大値を元の状態に戻す（すなわち、左側火力表示部８４ａ及び右側火力表示部８４ｂが表示できる火力の最大値に戻す）。また、制御装置１３は、「簡単操作モード」への切り替え動作時において実施されたボタンの機能の入れ替え処理を、当該処理が実施される前の状態に戻す。そして、「標準操作モード」への切り替え動作を終了する。
【００６７】
（実施の形態３の効果）
以上の構成及び動作のように、「簡単操作モード」で操作パネル９ｂにおいて特定の機能を実施するためのボタンを押下した場合、操作部８においては当該機能とは異なる機能を実施するためのボタンが押下されることになるが、その操作部８におけるボタンの押下によって、当該機能が実施されるようにしている。これによって「簡単操作モード」におけるボタンの配置、すなわち、操作パネル９ｂ上のボタンの配置を自由にレイアウトすることができ、「簡単操作モード」における操作性をさらに向上させることができる。具体的には、実施の形態１の図３において、操作パネル９におけるボタン配置について入／切ボタン９１ｃ、入／切ボタン９２ｃ、並びに、左矢印ボタン９３ｃ及び右矢印ボタン９３ｄが隣のボタンに接近しており、誤って、意に反するボタンを押下してしまう可能性がある。しかし、本実施の形態の図９で示されるように、操作パネル９ｂにおけるボタン配置について、入／切ボタン９１ｃ、入／切ボタン９２ｃ、並びに、左矢印ボタン９３ｃ及び右矢印ボタン９３ｄを、隣のボタンから距離を置いて配置させているので、意に反するボタンの押下という事態を抑制することができる。
【００６８】
なお、上記のように、本実施の形態の効果として、「簡単操作モード」における操作性の向上を上げているが、これに限定されるものではなく、例えば、「簡単操作モード」においてのみ実施できる新たな機能を操作するためのボタンを配置するものとしてもよい。例えば、操作部８の揚げ物ボタン８１ａに対応する操作パネル９ｂのパネル上に「安全停止」なるボタンを配置し、「簡単操作モード」時に、誘導加熱調理器１０１ｂにおいて意に反する挙動が実行されてしまった場合、ユーザーがこの「安全停止」ボタンを押下（すなわち、揚げ物ボタン８１ａの押下）することによって、誘導加熱調理器１０１ｂの動作を安全に停止させる処理を実施させることもできる。これによって、「簡単操作モード」において、お年寄り及び幼い子供向けの独自の機能を作成することができ、さらに使い勝手を向上させることができる。
【００６９】
また、本実施の形態における操作部８におけるボタンの機能の入れ替え処理又は変更処理は、実施の形態２に係る誘導加熱調理器１０１ａについても適用できるのは言うまでもない。
【符号の説明】
【００７０】
１  本体、２  トッププレート、３ａ  左加熱口、３ｂ  右加熱口、４  表示パネル、８  操作部、９、９ａ、９ｂ  操作パネル、１０  吸気口、１１  排気口、１２  グリル部、１３  制御装置、８１  左加熱口用操作部、８１ａ  揚げ物ボタン、８１ｂ  ３ｋＷボタン、８１ｃ  入／切ボタン、８１ｄ  左側火力低下ボタン、８１ｅ  左側火力増加ボタン、８２  右加熱口用操作部、８２ａ  揚げ物ボタン、８２ｂ  ３ｋＷボタン、８２ｃ  入／切ボタン、８２ｄ  右側火力低下ボタン、８２ｅ  右側火力増加ボタン、８３  グリル用操作部、８３ａ  グリルメニューボタン、８３ｂ  スタート／停止ボタン、８３ｃ  左矢印ボタン、８３ｄ  右矢印ボタン、８３ｅ  時間マイナスボタン、８３ｆ  時間プラスボタン、８４ａ  左側火力表示部、８４ｂ  右側火力表示部、８５  モード切替スイッチ、９１  左加熱口用操作部、９１ｃ  入／切ボタン、９１ｄ  左側火力低下ボタン、９１ｅ  左側火力増加ボタン、９１ｆ  入／切ボタン、９２  右加熱口用操作部、９２ｃ  入／切ボタン、９２ｄ  右側火力低下ボタン、９２ｅ  右側火力増加ボタン、９２ｆ  入／切ボタン、９３  グリル用操作部、９３ｂ  スタート／停止ボタン、９３ｃ  左矢印ボタン、９３ｄ  右矢印ボタン、９３ｅ  時間マイナスボタン、９３ｆ  時間プラスボタン、９３ｇ  左矢印ボタン、９３ｈ  右矢印ボタン、９４ａ  左側火力表示部、９４ｂ  右側火力表示部、９５  スイッチ押下用突起部、９６  ヒンジ部、１０１、１０１ａ、１０１ｂ  誘導加熱調理器。
【図１】
0005808270.tif 000002
【図２】
0005808270.tif 000003
【図３】
0005808270.tif 000004
【図４】
0005808270.tif 000005
【図５】
0005808270.tif 000006
【図６】
0005808270.tif 000007
【図７】
0005808270.tif 000008
【図８】
0005808270.tif 000009
【図９】
0005808270.tif 000010